(57)【要約】【課題】ケーシング内には駆動手段により回転するスクリューを配設した廃棄物の圧縮固形機において、廃棄物がソリッドのまま排出口より爆音と共に前方に噴出し、続いて固形分が高温の気体と共に前方にばらばらに散乱するという問題を解消する。【解決手段】ケーシング（１）内には駆動手段（３）により回転するスクリュー（５）を配設し、該ケーシングには廃棄物（１３）を該ケーシング内に供給するためのホッパー（１５）と、圧縮した廃棄物を押し出す排出口（１９）と、該ケーシング内の廃棄物を加熱するための加熱手段（２１）とを備えさせた廃棄物の圧縮固形機において、前記スクリューを前後方向に動かすための押し引き装置（２５）を備えさせたことを特徴とする廃棄物の圧縮固形機。前記ケーシングは上方に膨出した断面を備えている。【選択図】図１
2005185983.tif 000002
【特許請求の範囲】
【請求項１】
ケーシング内には駆動手段により回転するスクリューを配設し、該ケーシングには廃棄物を該ケーシング内に供給するためのホッパーと、圧縮した廃棄物を押し出す排出口と、該ケーシング内の廃棄物を加熱するための加熱手段とを備えさせた廃棄物の圧縮固形機において、
前記スクリューを前後方向に動かすための押し引き装置を備えさせたことを特徴とする廃棄物の圧縮固形機。
【請求項２】
前記ケーシングは上方に膨出した断面を備えていることを特徴とする請求項１に記載の廃棄物の圧縮固形機。
【発明の詳細な説明】
【技術分野】
【０００１】
本発明は、廃棄物の圧縮固形機に関するものであり、更に詳しくは、例えば、自動車や家電製品の製造途中で排出されるシュレッダー処理した合成樹脂屑、再生紙製造工程で排出される合成樹脂屑等の合成樹脂屑、或いは紙屑、生ゴミ等の廃棄物を圧縮して固形化するための廃棄物の圧縮固形機に係るものである。廃棄物は、固形化することにより嵩が小さくなり、貯蔵、運搬等に好都合なものとなる。
【背景技術】
【０００２】
特開平８−２５３３８５号公報は、廃棄物を圧縮しつつ混練破砕して押し出すようにした装置を開示している。即ち、この装置は、ケーシング内には駆動手段により回転するスクリューを配設し、該ケーシングには廃棄物を該ケーシング内に供給するためのホッパーと、圧縮した廃棄物を押し出す排出口とを備えさせてなるものである。
【特許文献１】特開平８−２５３３８５号公報
【発明の開示】
【発明が解決しようとする課題】
【０００３】
合成樹脂屑の場合には、これを圧縮固形化する際に、該合成樹脂屑を加熱し、外周を溶解固形化することが望ましいものと思われる。
【０００４】
そこで、本発明者は、上記従来の装置におけるケーシングに加熱手段を備えさせ、ケーシング内の合成樹脂屑を加熱しつつその外周部を溶解固形化することを試みた。
【０００５】
しかるに、この試みにおいては、ケーシング内において合成樹脂屑内部の水分が沸騰蒸発し、合成樹脂屑が爆音と共に排出口より噴出するという問題があることが判明した。即ち、先端の一塊は略円柱状のソリッドのまま約１２メートル前方に飛び、続いて固形分が高温の気体と共に前方にばらばらに散乱するという、極めて危険な状況が発生するのである。
【０００６】
更に、従来の断面円形状のケーシング（図２参照。）の場合には、該ケーシング内を通過する廃棄物が該ケーシングの全断面に充満するおそれがある。その結果、ホッパーから落下した廃棄物が渋滞してスクリュー内に食い込まないという問題が生ずると共に、ケーシング内で発生した水蒸気が外部に放出し難くなり、ケーシング内の水蒸気が高温高圧になるという問題も生ずる。
【０００７】
本発明は、以上の如き問題を解決しようとしてなされたものである。
【課題を解決するための手段】
【０００８】
上記課題を解決するために、本発明は下記の如き廃棄物の圧縮固形機を提供するものである。
【０００９】
（１）ケーシング内には駆動手段により回転するスクリューを配設し、該ケーシングには廃棄物を該ケーシング内に供給するためのホッパーと、圧縮した廃棄物を押し出す排出口と、該ケーシング内の廃棄物を加熱するための加熱手段とを備えさせた廃棄物の圧縮固形機において、
前記スクリューを前後方向に動かすための押し引き装置を備えさせたことを特徴とする廃棄物の圧縮固形機（請求項１）。
【００１０】
なお、「前」とは図１における左方をいい、「後」とは図１における右方をいうものとする。
【００１１】
（２）前記ケーシングは上方に膨出した断面を備えている（請求項２）。
【００１２】
［発明の作用］
［請求項１の発明］
ホッパーからケーシング内に供給された廃棄物は、スクリューの回転により圧縮され、前方に進みつつ、加熱手段により加熱され、廃棄物の外周部が熱溶解して固形化し、廃棄物は長い円柱状体として排出口から連続的に排出される。
【００１３】
スクリューは押し引き装置により前後方向に動かされるため、ケーシング内に発生した水蒸気は上方のホッパー又は前方の排出口より断続的に放出される。従って、固形化した廃棄物がソリッドのまま排出口より爆音と共に前方に噴出し、続いて固形分が高温の気体と共に前方にばらばらに散乱するという、前述の危険が回避される。
【００１４】
［請求項２の発明］
ケーシングは上方に膨出した断面を備えているため、圧縮固形機の運転中、ケーシング内におけるスクリューの上方に常時空洞が存在する。従って、ホッパーからケーシング内に供給された廃棄物は、渋滞することなく該空洞を進み、スクリュー内に円滑に食い込む。また、ケーシング内で発生した水蒸気は該空洞を通って上方のホッパー又は前方の排出口より外部に放出されるため、ケーシング内の水蒸気が高温高圧になるという問題は解消する。
【発明の効果】
【００１５】
［請求項１の発明］
前述の如く、スクリューが前後方向に動かされるため、廃棄物がソリッドのまま排出口より爆音と共に前方に噴出し、続いて固形分が高温の気体と共に前方にばらばらに散乱するという問題は解消する。
【００１６】
［請求項２の発明］
スクリューの上方に常時空洞が存在するため、ホッパーからケーシング内に供給された廃棄物は、渋滞することなく該空洞を進み、スクリュー内に円滑に食い込む。また、ケーシング内の水蒸気が高温高圧になるという問題は解消する。
【発明を実施するための最良の形態】
【００１７】
符号１に示すものは圧縮固形機のケーシングである。ケーシング１は前端に向かって徐々に細径となる円錐部１ａを前部に備えている。ケーシング１内には駆動手段３により回転するスクリュー５を配設する。
【００１８】
駆動手段３は、一例として、減速モータ７の回転をローラーチェーン９と竪型減速器１１とを介してスクリュー５に伝達するようにしてなるものとする。
【００１９】
ケーシング１には廃棄物１３を該ケーシング１内に供給するためのホッパー１５を備えさせる。符号１７に示すものは定量供給機である。
【００２０】
ケーシング１は圧縮した廃棄物１３を押し出す排出口１９を前端に備えている。
【００２１】
更に、ケーシング１は該ケーシング１内の廃棄物１３を加熱するための加熱手段２１を備えている。加熱手段２１としては、一例として、電熱機をケーシング１の外面における円錐部１ａに取り付ける。
【００２２】
符号２３に示すものは、排出口１９より排出された廃棄物１３を切断するための切断機である。
【００２３】
しかして、本発明による廃棄物の圧縮固形機には、スクリュー５を前後方向に動かすための押し引き装置２５を備えさせる。
【００２４】
押し引き装置２５は、一例として、スクリュー５の後端にスプラインシャフト２７を取り付け、該スプラインシャフト２７の後端に油圧シリンダ２９を連結し、該油圧シリンダ２９を作動させることによりスプラインシャフト２７を介してスクリュー５が前後方向に動くようになす。
【００２５】
符号３１に示すものはオイルシール、符号３３は支持枠、符号３５はボールベアリング、符号３７は球面ローラーベアリング、符号３９はスラストベアリングである。
【００２６】
また、本発明による廃棄物の圧縮固形機におけるケーシング１は上方に膨出した断面を備えている。即ち、ケーシング１の断面（図１におけるＡ−Ａ’線の断面図）は、上部に膨出部４１を備え、該ケーシング１内におけるスクリュー５の上方には空洞４３が存在する。図３参照。この場合には、ケーシング１の断面は、例えば略楕円形ないし略長円形となる。
【００２７】
因みに、図２に示すケーシング１の断面図は円形である。
【００２８】
押し引き装置２５を作動させてスクリュー５を前後方向に動かすことにより、ケーシング１の円錐部１ａとスクリュー５の前部との間隔を調節することができる。ケーシング１の円錐部１ａとスクリュー５の前部との間隔を変えることにより、廃棄物の圧縮の程度を調節することができる。
【００２９】
本発明者は、排出口の内径が６ｃｍである圧縮固形機を用いて再生紙製造工程で排出された下記の合成樹脂屑を固形化する実験を行なった。
体積：１ｍ３
見かけ比重：０．４ｔ／ｍ３
水分：６０重量％
固形分：４０重量％
【００３０】
上記実験において、直径６ｃｍ、長さ６０ｃｍの円柱状合成樹脂屑が４０本得られた。
【図面の簡単な説明】
【００３１】
【図１】本発明による廃棄物の圧縮固形機の一例を示す側面図である。
【図２】図１のＡ−Ａ線における断面図の一例である。
【図３】図１のＡ−Ａ線における断面図の別の一例である。
【図４】スクリュー、スプラインシャフト等を示す側面図である。
【符号の説明】
【００３２】
１  ケーシング
１ａ  円錐部
３  駆動手段
５  スクリュー
７  減速モータ
９  ローラーチェーン
１１  竪型減速器
１３  廃棄物
１５  ホッパー
１７  定量供給機
１９  排出口
２１  加熱手段
２３  切断機
２５  押し引き装置
２７  スプラインシャフト
２９  油圧シリンダ
３１  オイルシール
３３  支持枠
３５  ボールベアリング
３７  球面ローラーベアリング
３９  スラストベアリング
４１  膨出部
４３  空洞
【図１】
2005185983.tif 000003
【図２】
2005185983.tif 000004
【図３】
2005185983.tif 000005
【図４】
2005185983.tif 000006